【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
継続してオートフォーカス（ＡＦ）動作を行う第１のＡＦモードに設定するモード設定手段と、
前記第１のＡＦモードに設定され、継続したＡＦを行っている場合に、ＡＦでフォーカスを合わせる対象の位置であるＡＦ位置を示す第１の表示アイテムをライブビュー上に表示するように制御する表示制御手段と、
前記第１のＡＦモードに設定され、継続したＡＦを行っている場合に、前記継続したＡＦを停止させる停止指示を受け付ける受付手段と、
前記受付手段で前記停止指示を受け付けて前記継続したＡＦを停止したことに応じて、前記第１の表示アイテムに代えて、前記ＡＦ位置に対応する位置に合焦の度合いを示す第２の表示アイテムを表示するように制御する制御手段と
を有することを特徴とする表示制御装置。
【請求項２】
マニュアルフォーカス（ＭＦ）モードにおいて前記第２の表示アイテムを表示するか否かを設定する表示設定手段を更に有し、
前記制御手段は、前記表示設定手段で前記第２の表示アイテムを表示すると設定されている場合は、前記受付手段で前記停止指示を受け付けて前記継続したＡＦを停止したことに応じて、前記第１の表示アイテムに代えて、前記ＡＦ位置に対応する位置に合焦度合いを示す前記第２の表示アイテムを表示するように制御し、前記表示設定手段で前記第２の表示アイテムを表示しないと設定されている場合は、前記受付手段で前記停止指示を受け付けて前記継続したＡＦを停止したことに応じて、前記第２の表示アイテムを表示することなく前記第１の表示アイテムの表示形態を変更するように制御することを特徴とする請求項１に記載の表示制御装置。
【請求項３】
ユーザーのＡＦ実行指示に応じてオートフォーカス（ＡＦ）動作を行う特定の動作モードに設定するモード設定手段と、
前記特定の動作モードに設定されている場合に、前記ＡＦ実行指示を受け付ける受付手段と、
前記特定の動作モードに設定され前記受付手段によって前記ＡＦ実行指示を受け付ける前は、ＡＦでフォーカスを合わせる対象の位置であるＡＦ位置に対応する位置の合焦度合いを示す第２の表示アイテムをライブビュー上に表示し、前記受付手段で前記ＡＦ実行指示を受け付けたことに応じて、前記第２の表示アイテムに代えて前記ＡＦ位置を示す第１の表示アイテムを表示するように制御する表示制御手段と
を有することを特徴とする表示制御装置。
【請求項４】
マニュアルフォーカス（ＭＦ）モードにおいて前記第２の表示アイテムを表示するか否かを設定する表示設定手段を更に有し、
前記表示制御手段は、前記表示設定手段で前記第２の表示アイテムを表示しないと設定されている場合は、前記特定の動作モードに設定され前記受付手段によって前記ＡＦ実行指示を受け付ける前であっても前記第２の表示アイテムを表示しないように制御することを特徴とする請求項３に記載の表示制御装置。
【請求項５】
前記ＡＦ位置を移動する移動指示を受け付ける移動指示受付手段を更に有し、
前記表示制御手段は、前記表示設定手段で前記第２の表示アイテムを表示しないと設定されている場合に、前記特定の動作モードに設定され前記受付手段によって前記ＡＦ実行指示を受け付ける前に前記移動指示受付手段によって前記移動指示を受け付けると、前記移動指示に応じて移動する前記ＡＦ位置に前記第１の表示アイテムを表示するように制御することを特徴とする請求項４に記載の表示制御装置。
【請求項６】
撮影画像から特定の被写体領域を検出する検出手段を更に有し、
前記検出手段で検出した前記特定の被写体領域に対してＡＦを行う動作モードである場合には、前記ＡＦ位置は前記検出手段で検出された特定の被写体の位置であることを特徴とする請求項１乃至４のいずれか１項に記載の表示制御装置。
【請求項７】
前記特定の被写体領域は人物の顔であることを特徴とする請求項６に記載の表示制御装置。
【請求項８】
前記検出手段で検出した前記特定の被写体領域に対してＡＦを行う動作モードである場合とそうでない場合とで前記第１の表示アイテムの表示形態が異なり、前記検出手段で検出した前記特定の被写体領域に対してＡＦを行う動作モードである場合には前記第１の表示アイテムは前記検出手段で検出された被写体領域を表す表示形態であることを特徴とする請求項６または７に記載の表示制御装置。
【請求項９】
前記検出手段で検出した前記特定の被写体領域に対してＡＦを行う動作モードである場合の前記第１の表示アイテムは顔枠であり、前記検出手段で検出した前記特定の被写体領域に対してＡＦを行う動作モードでない場合の前記第１の表示アイテムはＡＦ枠であることを特徴とする請求項８に記載の表示制御装置。
【請求項１０】
前記検出手段で検出した前記特定の被写体領域に対してＡＦを行う動作モードである場合に、前記特定の被写体領域が複数検出された場合には、複数の前記特定の被写体領域のうちＡＦの対象となる領域をユーザーの操作に応じて選択する選択手段とを更に有することを特徴とする請求項６乃至９のいずれか１項に記載の表示制御装置。
【請求項１１】
ユーザーのＡＦ実行指示に応じてオートフォーカス（ＡＦ）動作を行う特定の動作モードに設定するモード設定手段と、
前記特定の動作モードに設定されている場合に、前記ＡＦ実行指示を受け付ける受付手段と、
前記特定の動作モードに設定され前記受付手段によって前記ＡＦ実行指示を受け付ける前は、ＡＦを実行することなくＡＦでフォーカスを合わせる対象の位置であるＡＦ位置に対応する位置の合焦度合いを示す第２の表示アイテムをライブビュー上に表示し、前記受付手段で前記ＡＦ実行指示を受け付けたことに応じて、前記ＡＦ位置に基づいてＡＦを実行するように制御する表示制御手段と
を有することを特徴とする表示制御装置。
【請求項１２】
継続してオートフォーカス（ＡＦ）動作を行う第１のＡＦモードに設定するモード設定ステップと、
前記第１のＡＦモードに設定され、継続したＡＦを行っている場合に、ＡＦでフォーカスを合わせる対象の位置であるＡＦ位置を示す第１の表示アイテムをライブビュー上に表示するように制御する表示制御ステップと、
前記第１のＡＦモードに設定され、継続したＡＦを行っている場合に、前記継続したＡＦを停止させる停止指示を受け付ける受付ステップと、
前記受付ステップで前記停止指示を受け付けて前記継続したＡＦを停止したことに応じて、前記第１の表示アイテムに代えて、前記ＡＦ位置に対応する位置に合焦の度合いを示す第２の表示アイテムを表示するように制御する制御ステップと
を有することを特徴とする表示制御装置の制御方法。
【請求項１３】
ユーザーのＡＦ実行指示に応じてオートフォーカス（ＡＦ）動作を行う特定の動作モードに設定するモード設定ステップと、
前記特定の動作モードに設定されている場合に、前記ＡＦ実行指示を受け付ける受付ステップと、
前記特定の動作モードに設定され前記受付ステップによって前記ＡＦ実行指示を受け付ける前は、ＡＦでフォーカスを合わせる対象の位置であるＡＦ位置に対応する位置の合焦度合いを示す第２の表示アイテムをライブビュー上に表示し、前記受付ステップで前記ＡＦ実行指示を受け付けたことに応じて、前記第２の表示アイテムに代えて前記ＡＦ位置を示す第１の表示アイテムを表示するように制御する表示制御ステップと
を有することを特徴とする表示制御装置の制御方法。
【請求項１４】
ユーザーのＡＦ実行指示に応じてオートフォーカス（ＡＦ）動作を行う特定の動作モードに設定するモード設定ステップと、
前記特定の動作モードに設定されている場合に、前記ＡＦ実行指示を受け付ける受付ステップと、
前記特定の動作モードに設定され前記受付ステップで前記ＡＦ実行指示を受け付ける前は、ＡＦを実行することなくＡＦでフォーカスを合わせる対象の位置であるＡＦ位置に対応する位置の合焦度合いを示す第２の表示アイテムをライブビュー上に表示し、前記受付ステップで前記ＡＦ実行指示を受け付けたことに応じて、前記ＡＦ位置に基づいてＡＦを実行するように制御する表示制御ステップと
を有することを特徴とする表示制御装置の制御方法。
【請求項１５】
コンピュータを、請求項１乃至１１のいずれか１項に記載された表示制御装置の各手段として機能させるためのプログラム。
【請求項１６】
コンピュータを、請求項１乃至１１のいずれか１項に記載された表示制御装置の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
本発明の表示制御装置は、上記課題に鑑み、
継続してオートフォーカス（ＡＦ）動作を行う第１のＡＦモードに設定するモード設定手段と、
前記第１のＡＦモードに設定され、継続したＡＦを行っている場合に、ＡＦでフォーカスを合わせる対象の位置であるＡＦ位置を示す第１の表示アイテムをライブビュー上に表示するように制御する表示制御手段と、
前記第１のＡＦモードに設定され、継続したＡＦを行っている場合に、前記継続したＡＦを停止させる停止指示を受け付ける受付手段と、
前記受付手段で前記停止指示を受け付けて前記継続したＡＦを停止したことに応じて、前記第１の表示アイテムに代えて、前記ＡＦ位置に対応する位置に合焦の度合いを示す第２の表示アイテムを表示するように制御する制御手段と
を有することを特徴とする。